(57)【要約】【課題】  蓋部を開放することでターンテーブルからディスクを容易に取り出し易くできるようにしたディスク記録再生装置を得る。【解決手段】  開閉蓋４が開蓋されることでデバイスホルダー６と共にターンテーブル８がディスク本体部２の面上から斜めに仰角し、ディスクＤとディスク本体部２との間の隙間ＳからディスクＤに指が掛けやすくなり、ディスクＤの取り出しを行うようにした。【選択図】      図３
2005310209.tif 000002
【特許請求の範囲】
【請求項１】
ディスク本体部と、
上記ディスク本体部にヒンジ部を介して開閉可能にされる蓋部と、
上記ディスク本体部の面上にディスクが装填されるターンテーブルと共に光学ピックアップが一体に格納するように保持したデバイスホルダーと、      
上記デバイスホルダーが回動保持される支点軸を含む回動機構部と、
から構成され、上記蓋部が開蓋されることで、上記デバイスホルダーが上記支点軸を支点にして回動し上記ターンテーブルを上記ディスク本体部の面上から斜めに仰角し、ディスクの取り出しを行うようにしたことを特徴とするディスク装置。
【請求項２】
上記回動機構部は、上記蓋部が開放される動作に連動する回動プレートを介して上記デバイスホルダーと共に上記ターンテーブルが斜めに仰角されることを特徴とする請求項１に記載のディスク装置。
【請求項３】
上記デバイスホルダーは、上記蓋部を閉止することで引張りばね力により上記ターンテーブルを上記ディスク本体部の面上に復帰することを特徴とする請求項１に記載のディスク装置。
【発明の詳細な説明】
【技術分野】
【０００１】
本発明は、ポータブル（携帯型）式の光ディスク等のディスクプレーヤーにおいて、蓋部を開蓋することで、ターンテーブルが仰角しディスクを容易に取り出し易くできるようにしたディスク装置に関する。
【背景技術】
【０００２】
従来、ポータブル式のディスクプレーヤーには、プレーヤー本体部のディスク挿入口から円盤状の記録媒体である光ディスク（以下、ディスクという）をスロットイン/アウト（ローディング/エジェクト）するタイプと、プレーヤー本体部に対して蓋体を開放し、開放されたプレーヤー本体部のターンテーブルにディスクを人為的に着脱するようにしたタイプとがある。この蓋開放方式のディスクプレーヤーはローディング機構やエジェクト機構が不要であり、シンプルな構成でディスクの着脱操作の取り扱いが容易であることから一般に広く普及している。
【０００３】
ところで、上述した蓋開放方式のディスクプレーヤーは、プレーヤー本体部のターンテーブルからディスクを取り出す際には、プレーヤー本体部の外周部とディスクとの狭い隙間に指を入れてディスクを引き上げるようにしてターンテーブルからディスクを取り外すので、ディスクが取り外しにくい。
【０００４】
そこで、ディスクを取り出し易くするために従来技術の対策として、プレーヤー本体部の外周部の一部に指の入る切り欠きや凹部を設けることによって、ディスクに指を掛け易くして取り出しを容易にできるようにしたものがある。
【０００５】
一方、ディスクを取り出し易くできるようにした従来の別の技術として、開閉蓋に切り欠き部を設けると共に、この切り欠き部を開閉するシャッターを設け、開閉蓋を開放することによってシャッターが開き、切り欠き部に指を入れてディスクを取り出すようにした技術が開示されている。（例えば、特許文献１参照）。
【０００６】
また、ディスクを取り出し易くできるようにした従来の別の技術として、上蓋の開閉によってディスクをターンテーブルに着脱させるディスクトレイを、上蓋にスペースの下方を覆うように取り付けることで、上蓋を開閉するとディスクトレイによりディスクの着脱を行うことができるようにした技術が開示されている。（例えば、特許文献２参照）。
【０００７】
さらに、ディスクを取り出し易くできるようにした従来の技術として、蓋体の開蓋時に前方に迫り出す移動可能なディスク再生ユニット部を設けてディスクの着脱を可能とした技術が開示されている。（例えば、特許文献３参照）。
【０００８】
【特許文献１】特開平１１−２５０６４３号公報
【特許文献２】特開平０３−２３８５０号公報
【特許文献３】特開平０７−３０７０８７号公報
【発明の開示】
【発明が解決しようとする課題】
【０００９】
しかし、前述したようなディスクを取り出し易くするためにプレーヤー本体部の外周部の一部に指の入る切り欠きや凹部を設けることは、指の大きなユーザーにとってはディスクの取り外しがしにくく、また、プレーヤー本体部の外周部に切り欠きや凹部を設けることはプレーヤーの外観デザインが損なわれるといった問題がある。
【００１０】
また、［特許文献１］に開示されている技術では開閉蓋を開閉操作することに連動して切り欠き部のシャッターが開閉動作する機構が必要であり、［特許文献２］及び［特許文献３］に開示されている技術は構成が複雑であり、ディスク装置の取り扱いが面倒であるといった問題がある。
【００１１】
本発明は、上述したような課題を解消するためになされたもので、シンプルな構成で取り扱いやすく、蓋部を開放することでターンテーブルが仰角しディスクを容易に取り出し易くできるようにしたディスク装置を得ることを目的とする。
【課題を解決するための手段】
【００１２】
上記の課題を解決し、本発明の目的を達成するため、本発明による請求項１に記載のディスク装置は、蓋部が開蓋されることでデバイスホルダーと共にターンテーブルがディスク本体部の面上から斜めに仰角し、ディスクの取り出しを行うようにしたことを特徴とする。
【発明の効果】
【００１３】
本発明のディスク装置によれば、蓋部の開蓋によってデバイスホルダーと共にターンテーブルがディスク本体部の面上から斜めに仰角するので、ディスク本体部の外周部とディスクとの間の隙間を十分に広くすることができ、これによって、ディスクに指が掛けやすくなり、ターンテーブルからディスクの取り出しを容易に行うことができる。また、ディスク本体部の外周部に切り欠きや凹部がないので外観のデザイン性が向上できる。
【００１４】
また、回動機構部は蓋部が開放される動作に連動する回動プレートによってデバイスホルダーと共にターンテーブルが斜めに仰角される機構であるので、構成が極めて簡単であり安価にできる。
【発明を実施するための最良の形態】
【００１５】
以下、本発明によるディスク装置の最良の実施の形態を再生専用のポータブル式の直径が１２ｃｍのＣＤのディスクプレーヤーを例にとって図面を参照して説明する。
【００１６】
図１は本発明に適用されるディスクプレーヤーであって、図１はディスクプレーヤーの各要部を分離して示した外観斜視図、図２は開閉蓋を閉蓋したときの部分側断面図、図３開閉蓋を開蓋したときの図２と同様の部分側断面図である。
【００１７】
全体を符号１で示したディスクプレーヤーは、プラスチック材からなるプレーヤー本体部２と、このプレーヤー本体部２に対しヒンジ部３により開閉自在にされた同じくプラスチック材からなる開閉蓋４とから構成されている。なお、ヒンジ部３の構成については後述する。
【００１８】
プレーヤー本体部２は、その外周部と底面部は下キャビネット５であり、プレーヤー本体部２の中心部分からヒンジ部３側に偏した部分には後述する光学ピックアップ等のデバイスが搭載されるデバイスホルダー６が配置されている。このデバイスホルダー６以外のプレーヤー本体部２の上面は上キャビネット７で覆われている。
【００１９】
このデバイスホルダー６には、プレーヤー本体部２の中心部分にディスクＤをチャッキングするターンテーブル８と、ターンテーブル８を高速回転駆動するスピンドルモータ９が同軸上に格納されている。このターンテーブル８は、上キャビネット７から突き出るようにされている。また、ターンテーブル８に隣接するデバイスホルダー６の部分に対物レンズ１０ａを有する光学ピックアップ１０が格納されている。この光学ピックアップ１０はディスクＤの半径方向に移動するようになっている。
【００２０】
ここで、デバイスホルダー６の詳細について説明する。
デバイスホルダー６はターンテーブル８及び光学ピックアップ１０が格納されるホルダー本体部１１と、このホルダー本体部１１を下から保持するプレート板１２と、ホルダー本体部１１の上からプレート板１２とで該ホルダー本体部１１の外周部を挟み付けるようにするフレーム１３とから構成される。
【００２１】
ホルダー本体部１１の外周面には、対向し合う両側面部と、ターンテーブル７側の側面部とに合計３つのＵ字形の孔を有する保持片１４ａ,１４ｂ,１４ｃが水平に突出形成されている。また、プレート板１２上にはホルダー本体部１１の保持片１４ａ,１４ｂ,１４ｃがそれぞれ対応する位置にねじ孔を有するボス１５ａ,１５ｂ,１５ｃが突設されている。このボス１５a,１５ｂ,１５ｃ上にホルダー本体部１１の保持片１４ａ,１４ｂ,１４ｃが載置される。これによって、ホルダー本体部１１はプレート板１２との間に隙間を有して保持される。
【００２２】
また、プレート板１２にはその両側面部の一端側（デバイスホルダー５においてヒンジ部３側）に偏した位置に軸受板１６ａ,１６ａを介して軸１６,１６が水平に突出形成されている。さらに、プレート板１２には軸１６とは反対側の端面にストッパーピン１７が設けられると共に、一方の軸１６とは反対側の側面部にばね掛けピン１８が設けられている。また、プレート板１２の裏面に該プレート板１２を下キャビネット４に対して水平に位置決めするための高さ決めピン１９が設けられている。
【００２３】
フレーム１３はホルダー本体部１１の外周部を囲むような例えば一方の長さが短い馬蹄形状を有し、このフレーム１３にはホルダー本体部１１の保持片１４ａ,１４ｂ,１４ｃと対応する位置に上面が凹面状にされたねじ孔を有するボス２０ａ,２０ｂ,２０ｃが形成されている。
【００２４】
このように構成されたホルダー本体部１１とプレート板１２及びフレーム１３との組み付けは、始めにプレート板１２のボス１５ａ,１５ｂ,１５ｃの上にホルダー本体部１１の保持片１４ａ,１４ｂ,１４ｃを載せ、保持片１４ａ,１４ｂ,１４ｃの上からフレーム１３のボス２０ａ,２０ｂ,２０ｃを載せる。そして、フレーム１３の上から３つのねじ１３ａをボス２０ａ,２０ｂ,２０ｃのねじ孔を通じ、ホルダー本体部１１の保持片１４ａ,１４ｂ,１４ｃを貫通し、プレート板１２のボス１５ａ,１５ｂ,１５ｃにねじ締めすることで、ホルダー本体部１１がプレート板１２とフレーム１３とで上下から挟まれた状態で一体化され、デバイスホルダー６が構成される。
【００２５】
上述したデバイスホルダー６は、上キャビネット７の開口部７ａに位置させると共に、
デバイスホルダー６の軸１６,１６を下キャビネット５の底面から立設した軸受部２１,２１に回動可能に支持される。ここで、軸受部２１,２１に支持されたデバイスホルダー６は、そのプレート板１２の裏面に設けられた高さ決めピン１９がプレーヤー本体部２を構成する下キャビネット５の底面に当接させて、プレーヤー本体部２に対して同じ水平面をなすようにしている。すなわち、デバイスホルダー６はその上面が上キャビネット７の上面と同一平面状態にされ、ターンテーブル８のみが上キャビネット７の上面から突出するようにされている。
【００２６】
また、デバイスホルダー６には、プレート板１２に形成したばね掛けピン１８にリターンばね２２の一方のばね掛け片２２ａが掛け止めされ、他方のばね掛け片２２ｂが下キャビネット５の底面の設けた止め部２３に掛け止めされている。これによって、デバイスホルダー６はリターンばね２２のばね力により上キャビネット７の上面と同一平面上に収まるように付勢されている。
【００２７】
さて、プレーヤー本体部２のヒンジ部３側の内部には作動板２４が配置されている。作動板２４は支点部２５を有すると共に、前後の両端側にそれぞれ下向きに形成されたフック片２６ａ,２６ｂを備えている。この作動板２４はその支点部２５が上キャビネット７の裏面から垂設された軸受け７ｂ,７ｂに揺動自在に支承されており、他方のフック片２６ｂはデバイスホルダー６のプレート板１２の端部から迫り出した図１において斜線で示した操作面１２ａの上面に位置している。また、作動板２４はフック片２６ｂの上面が制動ピンＰに突き当たって水平状態を保持している。
【００２８】
ここで、ヒンジ部３は開閉蓋４に取り付けた固定板２７を介して両端側に一対のヒンジ軸板２７ａ,２７ｂを備え、両ヒンジ軸板２７ａ,２７ｂは下キャビネット５に支持した支承軸２８によって支承されている。
【００２９】
一方のヒンジ軸板２７ａには作動フック２９が一体に延出され、この作動フック２９は作動板２４の第１のフック片２６ａの後方斜め下方に位置している。また、他方のヒンジ軸板２７ｂにはばね掛けフック３０が一体に延出されている。このばね掛けフック３０には開閉蓋４を開放方向に付勢するためのトーションばね３１の一方のばね端３１ａが係止され、他方のばね端３１ｂが下キャビネット５に設けたばね止め部３２に係止されている。このトーションばね３１のばね力は前述したリターンばね２２のばね力より大きなばね力を有している。
【００３０】
次に、以上のように構成したディスクプレーヤーの動作について説明する。
図２はターンテーブル８にディスクＤが装填され、開閉蓋４がプレーヤー本体部２に閉止されて図示しない蓋ロック機構により閉じられて例えば、音楽等のディスクＤを再生している状態では、デバイスホルダー６と共にディスクＤを装填しているターンテーブル８は、プレーヤー本体部２に対して水平な姿勢を保持している。
【００３１】
かくして、ディスクプレーヤーからディスクＤを取り出すに際して、蓋ロック機構を解除し開閉蓋４がトーションばね３１のばね付勢力によって開放されると、図２に示すように一方のヒンジ軸板２７ａの作動フック２９の回動動作によって作動板２４の一方のフック片２６ａが支点部２５を支点にして押し上げられる。これに対して作動板２４の他方のフック片２６ｂが押し下げられ、このフック片２６ｂの押し下げ力によりデバイスホルダー６の操作面１２ａがリターンばね２２のばね力に抗して押し下げられ、デバイスホルダー６は軸１６を支点にしてターンテーブル８側が上キャビネット７の面上から斜めに仰角されて突き出す動作が行われる。このデバイスホルダー６の仰角角度は、ストッパーピン１７が上キャビネット７の段差状の位置決め面３３に当接した位置を基準にしている。
【００３２】
すなわち、本発明は開閉蓋４を開けてターンテーブル８に装填されているディスクＤを取り出すとき、デバイスホルダー６を上キャビネット７の面上から所定の仰角角度に浮き上がらせることによって、図３に示すようにディスクＤとプレーヤー本体部２との間の隙間Ｓが形成されることにより、ディスクＤに指が掛かりやすくなり、ディスクＤをターンテーブル８から容易に取り出すことができるというものである。
【００３３】
デバイスホルダー６の仰角角度は、ストッパーピン１７が上キャビネット７の段差状の位置決め面３３に当接した位置を基準にしているので、図１においてストッパーピン１７と位置決め面３３との間隔を調整することによってターンテーブル８の仰角の角度、すなわち、ディスクＤとプレーヤー本体部２との間の隙間Ｓを自由に調整することができる。
【００３４】
デバイスホルダー６を水平姿勢に付勢するリターンばね２２のばね力に対して開閉蓋４を開方向に付勢するトーションばね３１のばね力の方が少し強くされている。これによって、開閉蓋４が開放したときストッパーピン１７がデバイスホルダー６の位置決め面３３に突き当たるときの衝撃を小さくすることができる。
【００３５】
さらに、位置決め面３３に緩衝材３３ａを設けることによって、ストッパーピン１７が位置決め面３３に当たるときの衝撃を吸収しデバイスホルダー６の仰角動作に衝撃音を伴うことなく行うことができる。
【００３６】
また、開閉蓋４の開放角度とデバイスホルダー６の仰角角度とは、作動板２４の揺動角度と、デバイスホルダー６の軸１６,１６の支点位置によって変えると共に、同時にリターンばね２２のばね力とトーションばね３１のばね力を変えることによって、これらの調整を行うことで適正な開閉蓋４の開放角度とデバイスホルダー６の仰角角度を得ることができる。
【００３７】
なお、ターンテーブル８へのディスクＤの再装填は、デバイスホルダー６が図２に示した斜めに仰角した状態でターンテーブル８にディスクＤの装填を行い、この後、開閉蓋４を閉蓋することで作動フック２９による作動板２４の押し下げが解除されるので、デバイスホルダー６はリターンばね２２のばね力により引き下げられ、上キャビネット７の面と同一面の水平姿勢に戻りディスクＤの再生状態となる。
【００３８】
この際、作動板２４はデバイスホルダー６が水平に戻る動作により、他方のフック片２６ｂが押し上げられ、このフック片２６ｂの上面が制動ピンＰに突き当たって水平な姿勢に保持される。
【００３９】
本発明は、上述しかつ図面に示した実施の形態に限定されるものでなく、その要旨を逸脱しない範囲内で種々の変形実施が可能である。
【００４０】
本発明の実施の形態では、デバイスホルダー６はターンテーブル８や光学ピックアップ１０を搭載したホルダー本体部１１と、プレート板１２及びフレーム１３から構成したが、ホルダー本体部１１に支点部やストッパー等を直に設けることであってもよい。
【００４１】
また、実施の形態では再生専用の直径が１２ｃｍのＣＤのディスクプレーヤーについて説明したが、記録と再生とが可能な光ディスクのディスクプレーヤーにも適用可能である。
【００４２】
また、直径が８ｃｍのミニディスク専用のディスクプレーヤーにも同様に適用可能である。
【図面の簡単な説明】
【００４３】
【図１】本発明に適用されるディスクプレーヤーの要部の分離状態の斜視図である。
【図２】ディスクプレーヤーの開閉蓋を閉蓋したときの部分側断面図である。
【図３】開閉蓋を開蓋したときの図２と同様の部分側断面図である。
【符号の説明】
【００４４】
１…ディスクプレーヤー、２…プレーヤー本体部、３…ヒンジ部、４…開閉蓋、５…下キャビネット、６…デバイスホルダー、７…上キャビネット、８…ターンテーブル、１０…光学ピックアップ、１１…ホルダー本体部、１２…プレート板、１３…フレーム、１６…軸、１７…ストッパーピン、１９…高さ決めピン、２２…リターンばね、２４…作動板、２７ａ,２７ｂ…ヒンジ軸板、２９…作動フック、３１…トーションばね、３３…位置決め面、３３ａ…緩衝材、Ｄ…ディスク
【図１】
2005310209.tif 000003
【図２】
2005310209.tif 000004
【図３】
2005310209.tif 000005